(57)【要約】【課題】  ボトル全体を覆う、保温効果の高いホルダーを得るとともに、ホルダーの意匠をぬいぐるみの様にして、持ち歩き易いようにする。【解決手段】  ホルダーを、ボトルの胴部を覆う胴部と、キャップを覆う頭部に二分し、胴部と頭部は接ぎ手で接続する。頭部の、ボトルのキャップを覆う部分には凹孔を設け、この凹孔をボトルのキャップに嵌め込むようにする。頭部は動物、人形、キャラクター等の頭部を摸するようにする。【選択図】図１
2006232387.tif 000002
【特許請求の範囲】
【請求項１】
上部にボトルを挿入する開口を有する胴部、
前記胴部にボトルが挿入された状態においてボトルのキャップ部を覆う頭部、
前記胴部と前記頭部を継ぐ接ぎ手とよりなり、
前記胴部の開口には一又は二以上のスリットが形成されており、
前記スリットによって分離された胴部の一方と他の一方を重ね合わせる係合手段を有し、
前記頭部のボトルのキャップに対接する部分には、ボトルのキャップを挿入する凹孔が設けられていることを特徴とするホルダー。
【請求項２】
頭部が動物，人形，キャラクターの頭部を摸して作られている請求項１記載のホルダー。
【発明の詳細な説明】
【技術分野】
【０００１】  本発明はペットボトルのような飲料入りビンを携帯する際に用いるホルダーに関するものである。
また特に携帯，保温という実用的機能と、ぬいぐるみのような愛玩物としての機能を兼ね備えたホルダーに関するものである。
【背景技術】
【背景技術】
【０００２】  近年飲料メーカーからペットボトル入りの飲料が多種類発売されるようになった。
当初は２０００ｃｃ入りのような大型のものが多かったが、後に１０００ｃｃ或いは５００ｃｃ入りのような、携帯にも無理がないようなサイズのものが発売されるようになり、これを水筒代わりに持ち歩くという習慣が増えている。【０００３】  そのため、例えばペットボトルのキャップの下部の首部に、その首部の外径とほぼ同一の内径を有するプラスチックの環を嵌合し、その環にストラップや肩ひもを結んで持ち運ぶという商品（ペットボトルホルダー）が販売されている。
（このタイプのホルダーの製造会社の例）
１．東京都墨田区東駒形１−１５−１２    東京磁石工業（株）
２．東京都江戸川区中葛西１−２５−３    （株）ビブロ
３．東京都中央区入船１−９−６          （株）テクノグラフ【０００４】  しかしながら、このタイプのホルダーはペットボトルの内容が外部から丸見えとなり、また保温（保冷）力がないので、もう一つの形態として筒状のホルダーが販売されている。
即ちペットボトルの形状とほぼ同大で、内側に断熱材を入れた筒状の袋にペットボトルを入れ、上部をひもやファスナーで閉じるようにしたものである。
この袋にストラップや肩ひもを取り付けることによってペットボトルを水筒のように可搬とし、保温の効果も得ようとするものである。【０００５】  このタイプのホルダーでは、ペットボトルの首部をキャップの下で締め付けるタイプのもの，キャップの上部でキャップを覆うように締め付けるタイプのもの，或いは筒長に余裕をもたせ、両方を兼用できるものなどがある。
（このタイプのホルダーの製造会社の例）
１．東京都新宿区西新宿２−１−１      プーマジャパン（株）
２．大阪市西区新町１−３３−２０      （株）モンベル
３．静岡県浜松市瓜内町１９３７        （株）スーパープランニング
４．東京都墨田区東駒形１−１５−１２  東京磁石工業（株）【０００６】  キャップの下部で締め付けるタイプのものは、飲料を飲む際にキャップを開けるだけでよいので飲み易いが、キャップ部が露出するため保温力がやや劣る欠点がある。
一方キャップ上部で締め付けるタイプのものは、熱を逃しにくいが、飲む場合に、先ずホルダーの口を十分にあけ、次にキャップを外すという二段階の動作が必要になる。
また飲み終わった場合にも、キャップを閉め、次にホルダーの口を締めるという二段階の動作が必要になるという煩わしさがある。
【非特許文献】  上記会社の発行するカタログ
【発明の開示】
【発明が解決しようとする課題】
【０００７】  本発明のホルダーは、筒状の袋を用いたペットボトルのホルダーにおいて、ペットボトルの首部でホルダーを締め付けるタイプの利点と、ペットボトルのキャップの上で、ペットボトルのキャップを覆うように締め付けるタイプの利点を、併せ持つようなホルダーを得ようとするものである。
またホルダーをぬいぐるみのような意匠にし、携帯すること自体を楽しめるものにしようとするものである。
【課題を解決するための手段】
【０００８】  本発明のホルダーは、ペットボトルの首部より下を包む胴体と、首部より上を覆う頭部とより構成する。頭部は、動物，人形のようなキャラクターの頭部を摸すると共に、頭部のペットボトルのキャップに対接する箇所には穴状の凹部を設け、この穴にペットボトルのキャップが嵌挿されるようにする。
【発明の効果】
【０００９】  本発明のホルダーは、ペットボトルの使用頻度が高い場合や、特に保温を必要としない場合は、ホルダーの頭部をペットボトルのキャップから外したままで使用できる。
また保温を必要とする場合は、ホルダー頭部を用いてペットボトルのキャップを覆い、首部からの熱の拡散を防ぐように使用できる。
更に頭部を可愛い動物や、人気のあるキャラクターにすることにより、ホルダーを持ち歩くこと自体を、ぬいぐるみを持ち歩くような楽しみとすることができる。
【実施例１】
【００１０】  図１は本発明のホルダーの一例を示す斜視図である。
図１において１はホルダーで、ホルダー１は主として胴体１ａと頭部１ｂの二部分から成り立っている。
胴体１ａと頭部１ｂは、布やプラスチックのような柔軟な素材で作られた接ぎ手２で連結されている。【００１１】  胴体１ａは布製の中空の筒体で、上部にはペットボトルを挿入するための開口３が空けられている。
筒体の内径はペットボトルの直径より少し大きく、高さ（深さ）はペットボトルの高さとほぼ同じである。
筒体の内面又は中芯には、断熱材の層（図示せず）を設けることが望ましい。【００１２】  開口３の周辺の、開口３を前後にほぼ半周づつに二分する箇所には、スリット４ａ，４ｂが設けられている。
スリット４ａ，４ｂの深さは、ペットボトルの肩と胴の境界部位までである。
胴体１ａの上端部は、スリット４ａ，４ｂによって前部覆い５と後部覆い６に分離される。なおスリットの数は、二箇所に限定されるものではないが、ここでは二箇所の例について説明している。【００１３】  前部覆い５の外面の、スリット４ａ，４ｂに近い部分には、マジックテープ（商標）の様な面ファスナーの雌側５ａ，５ｂが取り付けられる。
後部覆い６の内面の、スリット４ａ，４ｂに近い部分には、面ファスナーの雄側６ａ，６ｂが取り付けられる。
なお、外面と内面の関係は逆になっても構わないし、マジックテープの雄雌関係が逆であってもよいことは当然である。
更に面ファスナーはホックや紐のような契合手段でも代用できることは言うまでもない。【００１４】  頭部１ｂは、動物，人形，有名キャラクターの頭部のように、愛玩の対象になるような形状のものを選び、首部にはペットボトルのキャップが嵌挿されるような凹孔７が形成されている。
頭部１ｂの内部の、凹孔７を除く部分には断熱効果のある充堰物が詰め込まれ、全体としてぬいぐるみの頭部のようになる。【００１５】  図２はホルダー１を裏側から見た図で、図１と同一箇所には同一符号を付してある。
また説明のため頭部１ｂは引き起こしてある。
図２において、２１は携帯に便利ならしめるためのストラップで、金具２２によって胴体１ａに取り付けられている。
なお、ストラップ２１に代わって、肩ひも，ベルト通しなどを取り付けることもできる。【００１６】  ２３ａ及び２３ｂは、番いのホックで、飲料を飲むときなどに、頭部１ｂを後に反らした場合、その位置で頭部を安定させる為に使用する。
このホックも、面ファスナーに置き換える事ができる。【００１７】  図３は本発明のホルダーを使用する方法を説明する図で、ホルダーを前面方向から見た図である。
図１と同一箇所には同一の符号を付してある。
本発明のホルダーを使用するに当たっては、まず胴体１ａの上部開口から、ペットボトル３１を挿入する。
胴体１ａの高さはペットボトル３１の高さとほぼ等しく、スリット４ａ，４ｂの切れ込み深さは、ペットボトルの肩と胴の境界付近まであるので、前部覆い５を図示のようにペットボトルの肩を覆うように巻きつけることが出来る。【００１８】  この状態で次に後部覆い６を手前側に折り曲げると、マジックテープ５ａと６ａ，５ｂと６ｂが結合し、ペットボトルの肩部は完全に覆われ、キャップ３２のみが露出する。
図４はこの状態を示す斜視図である。
なお図１乃至図３と同一箇所には同一の符号を用いている。【００１９】  次に頭部１ｂを起こし、凹孔７をペットボトルのキャップ３２の上方からかぶせるように押し付けると、キャップ３２は凹孔７に入り込んで固定され、図５に示す如く頭部１ｂが胴体１ａと合体し、一体のぬいぐるみのような意匠を構成する。
デザインに際し、胴体１ａの意匠と、頭部１ｂの意匠をはじめから関連付けて構成すれば、この効果は一層顕著となる。【００２０】以上の如く、本発明のホルダーは、保温効果が高く、取り扱いが簡便で、且つ外観にぬいぐるみの様な愛らしさがあるので、特に子供や女性向きの商品として有効である。
【図面の簡単な説明】
【００２１】
【図１】    本発明のホルダーを示す斜視図
【図２】    ホルダーを裏側から見た図
【図３】    ホルダーを使用する方法説明する図
【図４】    ホルダーを使用する方法説明する図
【図５】    ホルダーを使用する方法説明する図
【符号の説明】
【００２１】１・・・・・ホルダー
１ａ・・・・胴体
１ｂ・・・・頭部
２・・・・・接ぎ手
３・・・・・ペットボトルを挿入するための開口
４ａ，４ｂ・スリット
５・・・・・前部覆い
６・・・・・後部覆い
５ａ，５ｂ・マジックテープの雌側
６ａ，６ｂ・マジックテープの雄側
７・・・・・凹孔
２１・・・・ストラップ
２２．・・・金具
２３ａ，２３ｂ・・ホック
３１・・・・・・・ペットボトル
３２・・・・・・・キャップ
【図１】
2006232387.tif 000003
【図２】
2006232387.tif 000004
【図３】
2006232387.tif 000005
【図４】
2006232387.tif 000006
【図５】
2006232387.tif 000007
【手続補正書】
【提出日】平成17年3月16日(2005.3.16)
【手続補正１】
【補正対象書類名】図面
【補正対象項目名】図１
【補正方法】変更
【補正の内容】
【図１】
2006232387.tif 000008
【手続補正２】
【補正対象書類名】図面
【補正対象項目名】図３
【補正方法】変更
【補正の内容】
【図３】
2006232387.tif 000009